(57)【要約】【課題】  折畳み機能を備えた担架について、小型に折畳めるようにする。【解決手段】  要救助者が仰臥される臥床体１と、臥床体１の周囲を囲み臥床体１を支持する枠体２とを備えている。臥床体１，枠体２は、幅方向の線に沿って折畳み可能とされている。臥床体１，枠体２は、要救助者の頭付近が載せられる前部２１と、要救助者の臀付近が載せられる中央部２２と、要救助者の足付近が載せられる後部２３とに分割されている。臥床体１，枠体２の前部２１は、中央部２２の上面側に折畳まれる。臥床体１，枠体２の後部２３は、中央部２２の下面側に折畳まれる。臥床体１，枠体２は、３つ折とされている。【選択図】図１
2012115628.tif 000002
【特許請求の範囲】
【請求項１】
要救助者が仰臥される臥床体と臥床体の周囲を囲み臥床体を支持する枠体とを備え、臥床体，枠体が幅方向の線に沿って折畳み可能とされた担架において、臥床体，枠体が要救助者の頭付近が載せられる前部と要救助者の臀付近が載せられる中央部と要救助者の足付近が載せられる後部とに分割され、前部が中央部の上面側に折畳まれ後部が中央部の下面側に折畳まれる３つ折とされていることを特徴とする担架。
【請求項２】
請求項１の担架において、臥床体は前部，中央部，後部の分割部分で分離され、枠体は前部，中央部，後部の分割部分で短尺の中継部材の両端部にそれぞれ軸で回動可能に連結されていることを特徴とする担架。
【請求項３】
請求項２の担架において、枠体は枠体に嵌合されスライドして中継部材，軸を含む前部，中央部，後部の分割部分を覆うことのできるスリーブからなるロック機構を備えていることを特徴とする担架。
【請求項４】
請求項１〜３のいずれかの担架において、枠体は前部，中央部，後部にそれぞれ下方に短く突出された脚部が取付けられ、脚部は下方側が湾曲した形状に形成されていることを特徴とする担架。
【請求項５】
請求項１〜３のいずれかの担架において、枠体は前部，中央部，後部にそれぞれ下方に短く突出された脚部が取付けられ、脚部は下方側に平坦な平坦面部が設けられ平坦面部の片側に枠体に対して急角度で傾斜した急斜面部が設けられ他の片側に枠体に対して緩角度で傾斜した緩斜面部が設けられていることを特徴とする担架。
【発明の詳細な説明】
【技術分野】
【０００１】  本発明は、折畳み機能を備えた担架に係る技術分野に属する。
【背景技術】
【０００２】  最近、山岳地帯やビルでの要救助者の迅速な救助要請に対応するため、ヘリコプター等に吊下げ使用することができるように、簡素な構造でしかもかなりの程度の強度を有するように構成された担架が提供されてきている。【０００３】  従来、吊下げ使用を可能にすることを指向した担架としては、例えば、特許文献１に記載のものが知られている。【０００４】  特許文献１には、要救助者が仰臥される臥床体と臥床体の周囲を囲み臥床体を支持する枠体とを備え、臥床体，枠体が幅方向の線に沿って２つ折に折畳み可能とされた担架が記載されている。【０００５】  特許文献１に係る担架は、展開された状態では臥床体に要救助者を仰臥させて枠体をロープで吊下げることができ、折畳まれた状態では救助員が枠体に取付けられたバンドで背負って要救助者がいる救助地点まで簡単に運搬することができるようにしたものである。
【先行技術文献】
【特許文献】
【０００６】
【特許文献１】  実公平２−２６４９１号公報
【発明の概要】
【発明が解決しようとする課題】
【０００７】  特許文献１に係る担架では、折畳まれてもかなり大型であるため、狭隘な場所（例えば、ヘリコプターの機内やビルの階段）では背負った救助員の行動が制約されてしまうという問題点がある。【０００８】  本発明は、このような問題点を考慮してなされたもので、小型に折畳むことができるようにした担架を提供することを課題とする。
【課題を解決するための手段】
【０００９】  前述の課題を解決するため、本発明に係る担架は、特許請求の範囲の各請求項に記載の手段を採用する。【００１０】  即ち、請求項１では、要救助者が仰臥される臥床体と臥床体の周囲を囲み臥床体を支持する枠体とを備え、臥床体，枠体が幅方向の線に沿って折畳み可能とされた担架において、臥床体，枠体が要救助者の頭付近が載せられる前部と要救助者の臀付近が載せられる中央部と要救助者の足付近が載せられる後部とに分割され、前部が中央部の上面側に折畳まれ後部が中央部の下面側に折畳まれる３つ折とされていることを特徴とする。【００１１】  この手段では、前部，中央部，後部の３つ折とされて中央部に対して前部，後部が逆側に折畳まれることで、折畳み構造を複雑化，大型化させることなく２つ折よりも長さを短縮させることができる。【００１２】  また、請求項２では、請求項１の担架において、臥床体は前部，中央部，後部の分割部分で分離され、枠体は前部，中央部，後部の分割部分で短尺の中継部材の両端部にそれぞれ軸で回動可能に連結されていることを特徴とする。【００１３】  この手段では、枠体が前部，中央部，後部の分割部分で中継部材に２軸で連結されることで、折畳み断面がコ字形となる。【００１４】  また、請求項３では、請求項２の担架において、枠体は枠体に嵌合されスライドして中継部材，軸を含む前部，中央部，後部の分割部分を覆うことのできるスリーブからなるロック機構を備えていることを特徴とする。【００１５】  この手段では、枠体にスリーブからなるロック機構を備えることで、枠体の前部，中央部，後部の分割部分を覆って展開された状態が確実に保持される。【００１６】  また、請求項４では、請求項１〜３のいずれかの担架において、枠体は前部，中央部，後部にそれぞれ下方に短く突出された脚部が取付けられ、脚部は下方側が湾曲した形状に形成されていることを特徴とする。【００１７】  この手段では、枠体に湾曲した形状の短い脚部が取付けられることで、要救助者の収容搬送手段の床面に小さな支持面積で要救助者を仰臥させた臥床体を非接触的に載置することができる。【００１８】  また、請求項５では、請求項１〜３のいずれかの担架において、枠体は前部，中央部，後部にそれぞれ下方に短く突出された脚部が取付けられ、脚部は下方側に平坦な平坦面部が設けられ平坦面部の片側に枠体に対して急角度で傾斜した急斜面部が設けられ他の片側に枠体に対して緩角度で傾斜した緩斜面部が設けられていることを特徴とする。【００１９】  この手段では、枠体に平坦面部，急斜面部，緩斜面部からなる形状の短い脚部が取付けられることで、要救助者の収容搬送手段の床面に小さな支持面積で要救助者を仰臥させた臥床体を非接触的に載置することができる。
【発明の効果】
【００２０】  本発明に係る担架は、前部，中央部，後部の３つ折とされて中央部に対して前部，後部が逆側に折畳まれることで、折畳み構造を複雑化，大型化させることなく２つ折よりも長さを短縮させることができるため、小型に折畳むことができるようになる効果がある。【００２１】  さらに、請求項２として、枠体が前部，中央部，後部の分割部分で中継部材に２軸で連結されることで、折畳み断面がコ字形となるため、折畳みの積層厚みが厚くなるのを避けることができる効果がある。【００２２】  さらに、請求項３として、枠体にスリーブからなるロック機構を備えることで、枠体の前部，中央部，後部の分割部分を覆って展開された状態が確実に保持されるため、枠体の前部，中央部，後部の分割部分が不測に折畳み方向に動作することが防止され、安全性が確保される効果がある。【００２３】  さらに、請求項４として、枠体に湾曲した形状の短い脚部が取付けられることで、要救助者の収容搬送手段の床面に小さな支持面積で要救助者を仰臥させた臥床体を非接触的に載置することができるため、脚部による収容搬送手段の床面の傷付け損傷が防止されるとともに収容搬送手段の床面を脚部で滑り移動させることができ、しかも要救助者を収容搬送手段の床面からの熱伝導を遮断して衛生的に収容することができる効果がある。【００２４】  さらに、請求項５として、枠体に平坦面部，急斜面部，緩斜面部からなる形状の短い脚部が取付けられることで、要救助者の収容搬送手段の床面に小さな支持面積で要救助者を仰臥させた臥床体を非接触的に載置することができるため、脚部による収容搬送手段の床面の傷付け損傷が防止されるとともに収容搬送手段の床面を脚部で滑り移動させることができ、しかも要救助者を収容搬送手段の床面からの熱伝導を遮断して衛生的に収容することができる効果がある。
【図面の簡単な説明】
【００２５】
【図１】  本発明に係る担架を実施するための形態の第１例の側面図であり、（Ａ）に展開状態が示され、（Ｂ）に折畳み状態が示されている。
【図２】  図１（Ａ）の平面図である。
【図３】  図１（Ｂ）の平面図である。
【図４】  図１（Ｂ）の底面図である。
【図５】  本発明に係る担架を実施するための形態の別の担架との組合わせ使用例を示す平面図であり、（Ａ）に別の担架が示され、（Ｂ）に組合わせ状態が示されている。
【図６】  本発明に係る担架を実施するための形態の第２例の側面図である。
【発明を実施するための形態】
【００２６】  以下、本発明に係る担架を実施するための形態を図面に基づいて説明する。
【００２７】  図１〜図５は、本発明に係る担架を実施するための形態の第１例を示すものである。
【００２８】  この形態は、特許文献１に係る担架と同様に、要救助者が仰臥される臥床体１と、臥床体１の周囲を囲み臥床体１を支持する枠体２とを備えている。
【００２９】  臥床体１は、図２に示すように、小孔が多数穿孔されたアルミニウム等の金属板で軽量に形成され、要救助者の頭付近が載せられる前部１１と、要救助者の臀付近が載せられる中央部１２と、要救助者の足付近が載せられる後部１３とに、長さ方向で３つに分割されて分離されている。前部１１は、上板１１ａ，下板１１ｂの２層構造とされている。前部１１，中央部１２は、ほぼ同じ長さに形成されている。後部１３は、前部１１，中央部１２よりも長さが短く膝から足先までが載せられるようになっている。
【００３０】  枠体２は、図１，図２に示すように、チタンを含む強靱な金属パイプが臥床体１の周囲を囲むようにほぼ長方形線上に配設され、臥床体１の前部１１，中央部１２，後部１３に対応した前部２１，中央部２２，後部２３に分割されている。なお、前部２１，中央部２２，後部２３には、臥床体１の前部１１，中央部１２，後部１３がそれぞれ固定される。前部２１，中央部２２の分割部分は、下部が突当てられる直線形部２１ａ，２２ａとされ上部が湾曲して互いに離間する湾曲線形部２１ｂ，２２ｂとされて幅方向（長さ方向に直交する方向）の形状がコ字形に形成され、コ字形に差込まれた短尺の板形の中継部材３にそれぞれ軸４で回動可能に連結されている。中央部２２，後部２３の分割部分は、上部が突当てられる直線形部２２ａ，２３ａとされ下部が湾曲して互いに離間する湾曲線形部２２ｂ，２３ｂとされて幅方向の形状がコ字形に形成され、コ字形に差込まれた短尺の板形の中継部材３にそれぞれ軸４で回動可能に連結されている。前部２１の前端部分は、長さ方向に伸縮されるスライド構造が備えられ、ノブ形のハンドル２４で伸縮位置が固定されるようになっている。
【００３１】  枠体２の前部２１，中央部２２，後部２３の両側部には、それぞれ幅方向に相対するように、上方に短く突出して吊下用のロープ，フック（カラビナ）等が掛けられる掛金部５と、下方に短く突出して要救助者の床面に設置される脚部６とが固定されている。脚部６は、下方側が湾曲した形状に形成されている。また、枠体２の前部２１の前端部と後部２３の後端部とには、段付き合成樹脂ブロックからなる補助担架支持具７が固定されている。
【００３２】  枠体２の前部２１，中央部２２，後部２３の分割部分には、枠体２に嵌合されスライドして中継部材３，軸４を含む分割部分を覆うことのできるスリーブからなるロック機構８が設けられている。
【００３３】  この形態は、図１（Ｂ），図３，図４に示すように、臥床体１の前部１１，中央部１２，後部１３と枠体２の前部２１，中央部２２，後部２３との分割部分から３つ折に折畳むことができる。この折畳みでは、枠体２の前部２１，中央部２２の分割部分が直線形部２１ａ，２２ａ，湾曲線形部２１ｂ，２２ｂの形状によって、臥床体１の前部１１と枠体２の前部２１とが臥床体１の中央部１２と枠体２の中央部２２との上面側に折畳まれ、臥床体１の後部１３と枠体２の後部２３とが臥床体１の中央部１２と枠体２の中央部２２との下面側に折畳まれることになる。そして、枠体２の前部２１，中央部２２，後部２３との分割部分の折畳み断面が中継部材３と２個の軸４とでコ字形となる。従って、折畳み構造を複雑化，大型化させることなく２つ折よりも長さを短縮させることができる。この結果、狭隘な場所でも背負った救助員の行動が制約されることがなくなる。
【００３４】  要救助者に駆けつけた救助者は、臥床体１，枠体２を回動させる簡単な操作によって、臥床体１，枠体２を展開させることができる。
【００３５】  展開された状態では、図１（Ａ），図２に示すように、臥床体１に要救助者を仰臥させることができ、掛金部５にロープ，フック等を掛けロック機構８をロックすることでそのまま吊下げることができる。吊下げられた状態では、枠体２の強靱性と掛金部５が枠体２の前部２１，中央部２２，後部２３のそれぞれに設けられていることによって、要救助者の体重による臥床体１を含んだ全体の変形，歪みを防止することができる。従って、要救助者を安全に吊下げ搬送することができる。
【００３６】  要救助者の吊下げ搬送中では、ロック機構８によって展開された状態が保持される。仮に、ロック機構８が機能しないことがあっても、枠体２の前部２１，中央部２２の分割部分が直線形部２１ａ，２２ａ，湾曲線形部２１ｂ，２２ｂの形状によって不測に折畳まれるのを阻止される。なお、枠体２の中央部２２，後部２３の分割部分では、不測に折畳まれることがあっても、要救助者の膝から足先が曲がるだけで本質的な仰臥の姿勢に変化がないため、安全性は確保される。
【００３７】  また、ヘリコプターの機内や救急車の車内等の収容搬送手段の床面に臥床体１に要救助者を仰臥させて載置した場合には、脚部６の小さな支持面積で床面に接触するだけであるため、要救助者を床面の冷温熱の伝導から保護することができる。また、脚部６が収容搬送手段の床面にスペースを形成して、臥床体１，枠体２，要救助者を床面に対して非接触状態とすることができるため、要救助者の衛生状態を良好に保持することができる。また、脚部６の接地部となる下方側が湾曲形状であるため、収容搬送手段の床面を滑り移動させ小さな障害物があってもスムースに乗越えさせることができ、収容搬送手段の床面を傷付け損傷することもない。
【００３８】  さらに、この形態は、図５に示すように、図５（Ａ）に示すような補助担架９を臥床体１，枠体２の上にセットすることができる。補助担架９は、補助担架支持具７に係合固定される。なお、補助担架９に対応して、枠体２の前部２１を伸縮調整することができる。
【００３９】  図６は、本発明に係る担架を実施するための形態の第２例を示すものである。
【００４０】  第２例では、脚部６について、下方側に平坦な平坦面部が設けられ、平坦面部の片側に枠体２に対して急角度で傾斜した急斜面部６ａが設けられ、他の片側に枠体２に対して緩角度で傾斜した緩斜面部６ｂが設けられている。なお、両側で６つとなる脚部６の緩斜面部６ｂは、それぞれ枠体２の後部２３側に向けられている。
【００４１】  第２例によると、第１例の滑り移動，障害物の乗越えの作用，効果については、緩斜面部６ｂを移動方向に向けることで同様の作用，効果を得ることができる。
【００４２】  また、脚部６に平坦面部が設けられているため、脚部６の接地部の面積が拡張され、要救助者を仰臥させて載置した場合の安定性が確保される。なお、脚部６の平坦面部の片側を急斜面部６ａとすることで、脚部６の全体の大型化が避けられる。
【００４３】  以上、図示した形態の外に、吊下用ロープ，吊下用フック，背負用ベルト，要救助者固定用安全ベルト等を予め取付けておくことも可能である。
【００４４】  さらに、ロック機構８のロック機能を高めるために、ロック位置で枠体２に係合，螺合させる構造を採用することも可能である。
【符号の説明】
【００４５】１            臥床体
１１          前部
１２          中央部
１３          後部
２            枠体
２１          前部
２２          中央部
２３          後部
３            中継部材
４            軸
６            脚部
８            ロック機構
【図１】
2012115628.tif 000003
【図２】
2012115628.tif 000004
【図３】
2012115628.tif 000005
【図４】
2012115628.tif 000006
【図５】
2012115628.tif 000007
【図６】
2012115628.tif 000008